(57)【要約】【課題】操作性がよく、米の計量が正確で、米の計測に応じた水量を得て所望の炊飯が行なえる炊飯器を提供することを目的とする。【解決手段】炊飯器本体２１と、炊飯器本体２１に着脱自在に内装する鍋２２と、鍋２２を加熱する鍋加熱手段２４と、鍋２２の開口部を覆う蓋２３と、鍋２２の重量を計測する重量計測手段２６、２７と、前記炊飯器本体２１または蓋２３の一部に設けた表示部３２とを有し、前記表示部３２は、重量計測手段２６、２７の計測により、炊飯手順と、計測に応じた米量と水量を表示するようにしたもので、使用者は炊飯手順に従い操作ができるとともに、米の計量が正確で、米の計測に応じた水量を得て所望の炊飯が行なえるものである。【選択図】  図１
2004248805.tif 000002
【特許請求の範囲】
【請求項１】
炊飯器本体と、炊飯器本体に着脱自在に内装する鍋と、鍋を加熱する鍋加熱手段と、鍋の開口部を覆う蓋と、鍋の重量を計測する重量計測手段と、前記炊飯器本体または蓋の一部に設けた表示部とを有し、前記表示部は、重量計測手段の計測により、炊飯手順と、計測に応じた米量と水量を表示するようにした炊飯器。
【請求項２】
鍋の空重量を予め記憶している請求項１に記載の炊飯器。
【請求項３】
水量表示は炊飯米量に適合した視覚的表示とした請求項１または２に記載の炊飯器。
【請求項４】
水量表示は炊飯米量に適合して順次大きくなるように表示する請求項１〜３のいずれか１項に記載の炊飯器。
【請求項５】
水量表示はその表示範囲を変化させている請求項１〜４のいずれか１項に記載の炊飯器。
【請求項６】
水量表示は注水速度が速い時には予測値、遅い時には計測値を表示する請求項１〜４のいずれか１項に記載の炊飯器。
【請求項７】
設定した水量値に到達する手前で注意音を発する請求項１〜５のいずれか１項に記載の炊飯器。
【請求項８】
設定した水量値に到達すると、表示が点滅または注意音を発する請求項１〜５のいずれか１項に記載の炊飯器。
【発明の詳細な説明】
【０００１】
【発明の属する利用分野】
本発明は、重量計測手段により米や水の重量を測定し、最適な水加減で所望の炊飯が行える炊飯器に関するものである。
【０００２】
【従来の技術】
従来、重量計測手段により米や水の重量を測定する炊飯器はすでに知られている（例えば、特許文献１参照）。
【０００３】
この従来の炊飯器は、図４、図５に示すように、使用者が３合の米を洗米し鍋１２に入れ、水位は大まかに合わせておく。次に鍋１２を炊飯器本体１に収納すると、鍋１２とその内容物の重量がヒーター４に加わり、ヒーター４はスプリング５を圧縮し、スプリング５の力と重量がバランスしたところで停止する。この時、電極上６、電極下７間の容量は重量検知手段８によって検出され、マイコン９に入力される。変換手段１０によって変換された表示データは表示手段１１に送られ、図５（ａ）に示す表示部１１ａに表示される。図のように、例えば２．５合と表示されると、使用者は鍋１２に３合の米を入れたことを覚えているので、図５（ｂ）に示す表示部１１ｂにおいて「３．０合」と表示されるまで水を加えるものである。
【０００４】
【特許文献１】
特開平１−２０４６２３号公報
【０００５】
【発明が解決しようとする課題】
しかしながら、前記従来の炊飯器においては、最初、米計量を計量カップやハカリで行なうため、使用者によって測定バラツキが大きい。また、使用者は最初の米計量結果を記憶しておいて、その記憶している数値に合う水量まで水を加えなければならず、ついうっかり数値を間違えることもある。従って、毎回、米と水の比率がバラツキ、ご飯の炊きあがり状態が変わると言う課題がある。
【０００６】
本発明は前記従来の炊飯器の課題を解決するもので、炊飯手順が示されるとともに、米の計量が正確で、計量した米量を記憶する必要がなく米の計測に応じた水量を得て所望の炊飯が行なえる炊飯器を提供することを目的とする。
【０００７】
【課題を解決するための手段】
前記目的を達成するために、本発明の炊飯器は、重量計測手段の計測により、炊飯手順と、計測に応じた米量と水量を表示部で表示するようにしたものである。
【０００８】
これによって、使用者は米重量を計測することにより、炊飯手順に従い操作ができるとともに、米の計量が正確で、米の計測に応じた水量を得て所望の炊飯が行なえるものである。
【０００９】
【発明の実施の形態】
請求項１に記載の発明は、炊飯器本体と、炊飯器本体に着脱自在に内装する鍋と、鍋を加熱する鍋加熱手段と、鍋の開口部を覆う蓋と、鍋の重量を計測する重量計測手段と、前記炊飯器本体または蓋の一部に設けた表示部とを有し、前記表示部は、重量計測手段の計測により、炊飯手順と、計測に応じた米量と水量を表示するようにした炊飯器とすることにより、使用者は米重量を計測することにより、炊飯手順に従い操作ができるとともに、米の計量が正確で、米の計測に応じた水量を得て所望の炊飯が行なえるものである。
【００１０】
請求項２に記載の発明は、鍋の空重量を予め記憶している請求項１に記載の炊飯器とすることにより、鍋の計量を開始する際、先ず鍋の有無を表示でき、また、米を鍋に入れて炊飯器本体にセットすることにより、米の計測に応じた水量を得て所望の炊飯が行なえるものである。
【００１１】
請求項３に記載の発明は、水量表示は炊飯米量に適合した視覚的表示とした請求項１または２に記載の炊飯器と表示することにより、水量を視覚的に認識することができるので、容易に水量を合わせることができる。
【００１２】
請求項４に記載の発明は、水量表示は炊飯米量に適合して順次大きくなるように表示する請求項１〜３のいずれか１項に記載の炊飯器とすることにより、水量の増加を認識し易くなり、容易に水量を合わせることができる。
【００１３】
請求項５に記載の発明は、水量表示はその表示範囲を変化させている請求項１〜４のいずれか１項に記載の炊飯器とすることにより、例えば、注水の初期は大きな単位で変化するようにし、設定値に近づくに従って小さな単位で変化するようにすれば、注水する人は、初期は大まかに注水し、設定値に近づけば慎重に注水するようになるので、容易に水量を合わせることができる。
【００１４】
請求項６に記載の発明は、水量表示は注水速度が速い時には予測値、遅い時には計測値を表示する請求項１〜４のいずれか１項に記載の炊飯器とすることにより、注水する人は、初期は大まかに注水し、設定値に近づけば慎重に注水するようになるので、容易に水量を合わせることができる。
【００１５】
請求項７に記載の発明は、設定した水量値に到達する手前で注意音を発する請求項１〜５のいずれか１項に記載の炊飯器とすることにより、注水する人は、初期は大まかに注水し、設定値に到達する手前で注意音を聞くことにより慎重に注水するようになるので、容易に水量を合わせることができる。
【００１６】
請求項８に記載の発明は、設定した水量値に到達すると、表示が点滅または注意音を発する請求項１〜５のいずれか１項に記載の炊飯器とすることにより、注水する人は、予め水量を設定しておき、初期は大まかに注水し、設定値に到達する手前で慎重に注水し、設定水量に達すれば表示が点滅または注意音が発するので、容易に水量を合わせることができる。
【００１７】
【実施例】
以下、本発明の実施例について、図面を参照して説明する。
【００１８】
（実施例１）
本発明の実施例１における炊飯器について、図１、図２を参照しながら説明する。図１において、２１は炊飯器本体を示し、着脱自在に鍋２２を内装する。２３は鍋２２の開口部を覆う蓋で、炊飯器本体２１に開閉自在に設置されている。２４は鍋２２の底および底周部を加熱する鍋加熱手段で、ＩＨコイルあるいはシーズヒーター等よりなっている。２５は鍋２２の温度を検知する鍋温度検知手段で、鍋２２の底中央に接している。２６は一端が鍋温度検知手段２５の下端と当接している板バネで、他端が炊飯器本体２１に固定されている。２７は板バネ２６の一部に設けた歪みセンサー２７である、前記板バネ２６と歪みセンサー２７は、この実施例において、鍋２２の重量を計測する重量計測手段を構成している。２８は鍋２２の底の中央に設けた鍋温度検知手段２５がはまり込む位置決め部材である。２９は鍋２２を収容する保護枠で、鍋２２の上端付近と対向する位置に複数の鍋ガイド３０が設けてある。３１は鍋加熱手段２４および後記の表示等を制御する制御回路である。３２は炊飯器本体２１の側面に設けた表示部で、重量計測手段２６、２７の計測により、炊飯手順（例えば、鍋をセットする、水を入れる等）と、計測に応じた米量と、米量に応じた水量とをそれぞれ表示するようにしている。また、表示部３２には後記する各スイッチ類を備えているものである。さらに、表示部３２の位置は炊飯器本体２１の側面でなく、蓋２３の上面であっても何ら問題はない。
【００１９】
次に、図２により、表示部３２についての詳細を説明する。
【００２０】
図において、３３は炊飯手順を表示する操作法表示部で、例えば、鍋をセットする、水を入れる等の表示をする。３４は重量計測手段２６、２７の計測により鍋２２内の米量を表示する米量表示部で、本実施例ではカップ数を表示するようにしている。３５は炊飯米量に適合した水量を表示する水量表示部で、本実施例では、水量の増加に従って左から右に順次表示が変化して行くようになっている。
【００２１】
また、この水量表示部３５は、米に応じた水量を数％増減させて、かため、普通、やわらかを表示する水量位置３６〜３８を有している。そして、この水量表示部３５は、例えば、米量が３カップであれ、５カップであれ、いずれも水量位置３６に合わせれば、かための炊飯が行え、水量位置３７に合わせれば、普通の炊飯が行え、水量位置３８に合わせれば、やわらかな炊飯が行えるように水量が米量に応じてソフト制御されるものである。つまり、米計量にバラツキがあって、例えば、３．２カップ分の米量であった場合でも、水量を水量位置３６〜３８のいずれかに合わせれば、その米量に見合った最適水量が得られ、所望の炊飯（かため、普通、またはやわらか）が行えるものである。３９は計量開始等を操作するための操作スイッチである。４０は炊飯開始を操作するための炊飯スイッチである。
【００２２】
上記の構成において動作を説明する。まず、操作スイッチ３９を押して計量を開始する。炊飯器本体２１内に鍋２２がない場合は、例えば「空の鍋をセットしてください」と操作法表示部３３に表示され、空の鍋２２をセットすると、次に操作法表示部３３には、例えば「米を入れてください」と炊飯手順が表示される。次いで、米を鍋２２に入れて操作スイッチ３９を押すと、鍋２２と、鍋２２の中の米重量が鍋温度検知手段２５を通じて板バネ２６と歪みゲージ２７から成る重量計測手段により計測され、米量が例えば何カップと表示される。同時に、「水を入れてください」と操作法表示部３３に表示される。
【００２３】
別の米の入れ方としては、操作スイッチ３９を押してから鍋２２を外して米びつのある場所へ行き、米を鍋２２へ移してから再び炊飯器本体２１に鍋２２をセットしても、鍋２２の空重量が予め記憶されているので、操作スイッチ３９を押すと、米量が例えば何カップと表示され、同時に、「水を入れてください」と操作法表示部３３に表示される。
【００２４】
次いで、水容器を持って鍋２２に水を注ぎ入れると、注水量に応じて水量表示部３５の表示が左から徐々に増加してくるので、希望する水量位置３６〜３８に合わせる。水量位置３８以上に入れすぎた場合は、小さなカップ等で水をすくいだして希望する水量位置に合わせる。そして、炊飯スイッチ４０を押すと炊飯が行われ好みの炊飯が得られる。水量表示部３５は、先に記述したとおり、炊飯米量に適合した水量をソフト制御されて表示するものであり、米量にバラツキがあってもその米量に最適水量を得て所望の炊飯が行われる。なお、炊飯中および炊飯後も米量、水量は表示されるものである。
【００２５】
（実施例２）
本発明の実施例２における炊飯器ついて図３を参照しながら説明する。基本的には実施例１と同様であるので、同一要素については同一符号を付して説明を省略する。
【００２６】
本実施例においては、図に示すように、水量表示部３５は、左から右に行くに従って多角形が順次大きくなるように視覚的表示をするようにしたものである。なお、視覚的表示の方向は、下から上あるいは上から下に行くに従って順次大きくなるようにしてもよく、また、多角形でなく点の大きさを変化させるようにしてもよく、さらに色合いを変化させる等のものであってもよいものである。これにより、水量の増加を認識し易くなり、容易に水量を合わせることができる。
【００２７】
また、水量表示部３５はその表示範囲を変化させているものであり、例えば、多角形または点の各々の表示範囲を変化させ、注水の初期は多角形または点の各々は大きな単位で変化するようにし、設定値に近づくに従って小さな単位で変化するようにすれば、注水する人は、初期は大まかに注水し、設定値に近づけば慎重に注水するようになるので、容易に水量を合わせることができる。
【００２８】
また、注水速度が速い時は予測値、遅い時は計測値を表示するようにすると、注水する人は、初期は大まかに注水し、設定値に近づけば慎重に注水するようになるので、容易に水量を合わせることができる。
【００２９】
また、水量が設定値に到達する手前で注意音を発するようにすると、注水する人は、初期は大まかに注水し、設定値に到達する手前で注意音を聞くことにより慎重に注水するようになるので、容易に水量を合わせることができる。また、設定水量に到達すると、表示が点滅または注意音を発する構成にすると、注水する人は、予め水量を設定しておき、初期は大まかに注水し、設定値に到達する手前で慎重に注水し、設定水量に達すれば表示が点滅または注意音が発するので、容易に水量を合わせることができる。
【００３０】
【発明の効果】
以上のように、本発明の炊飯器は、重量計測手段の計測により、炊飯手順と、計測に応じた米量と水量を表示部で表示するようにしたものであり、使用者は炊飯手順に従い操作ができるとともに、米の計量が正確で、米の計測に応じた水量を得て所望の炊飯が行なえるものである。
【図面の簡単な説明】
【図１】本発明の実施例１における炊飯器の断面図
【図２】同炊飯器における表示部を示す平面図
【図３】本発明の実施例２における炊飯器の表示部を示す平面図
【図４】従来例を示す炊飯器の断面図
【図５】（ａ）同従来例の米量表示を示す平面図
（ｂ）同従来例の水量表示を示す平面図
【符号の説明】
２１  炊飯器本体
２２  鍋
２３  蓋
２４  鍋加熱手段
２５  鍋温度検知手段
２６、２７  重量計測手段（板バネ、歪みセンサー）
３２  表示部
３３  操作法表示部
３４  米量表示部
３５  水量表示部
【図１】
2004248805.tif 000003
【図２】
2004248805.tif 000004
【図３】
2004248805.tif 000005
【図４】
2004248805.tif 000006
【図５】
2004248805.tif 000007